【手続補正書】
【提出日】平成24年7月3日(2012.7.3)
【手続補正１】
【補正対象書類名】明細書
【補正対象項目名】０００６
【補正方法】変更
【補正の内容】
【０００６】
しかしながら、遊技制御装置は取り外しがたくした方が不正対策として効果的であるが、交換作業性が著しく低下してしまうといった課題がある。
【手続補正２】
【補正対象書類名】明細書
【補正対象項目名】０００７
【補正方法】変更
【補正の内容】
【０００７】
本発明の目的は、遊技領域を有する遊技盤を前面枠に着脱自在に装着した遊技機において、遊技盤交換時に遊技盤と共に交換される遊技制御装置を、不正行為を防止する機能を低下させることなくその交換作業の作業性を高めることである。
【手続補正３】
【補正対象書類名】明細書
【補正対象項目名】０００８
【補正方法】変更
【補正の内容】
【０００８】
以上の課題を解決するため、請求項１に記載の発明は、本体枠に対して遊技盤を着脱可能に構成した遊技機において、
演算機能を有する第１制御装置と、前記第１制御装置により制御され、電気的機器の駆動機能を有する第２制御装置と、から構成され、
前記遊技盤を前記本体枠に取り付ける際の当該遊技盤の当該本体枠への取付動作に応じて、前記第１制御装置に接続されているコネクタ部と前記第２制御装置に接続されているコネクタ部の接続が行われ、前記第２制御装置への電源供給は前記第１制御装置を介して行われるように構成したことを特徴とする。
【手続補正４】
【補正対象書類名】明細書
【補正対象項目名】００１０
【補正方法】変更
【補正の内容】
【００１０】
請求項１に記載の発明によれば、遊技盤を本体枠に取り付ける際の当該遊技盤の当該本体枠への取付動作に応じて、第１制御装置に接続されているコネクタ部と第２制御装置に接続されているコネクタ部の接続が行われるように構成したので、不正行為を防止する機能を低下させることなくその交換作業の作業性を高めることができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、第２制御装置への電源供給は第１制御装置を介して行われるように構成したので、第１制御装置への給電が行われない状態では、第２制御装置への給電もなされないようにすることができる。
【手続補正７】
【補正対象書類名】明細書
【補正対象項目名】００１３
【補正方法】変更
【補正の内容】
【００１３】
請求項２に記載の発明は、請求項１に記載の遊技機であって、
前記第２制御装置の背面に遊技の進行を制御する遊技制御装置を回動可能に軸着し、
前記遊技盤を前記本体枠に装着する際には前記遊技制御装置を該遊技盤と略直交するように傾倒させるとともに、該遊技盤を装着した後には該遊技制御装置を前記遊技盤と略平行となるように起立させることで該遊技制御装置の回動端部側所要部位が前記本体枠背面に配設された前記第１制御装置に重合するように構成し、
前記遊技制御装置には、当該遊技制御装置を前記起立状態へ変換する際の変換方向側に、該変換動作に応じて前記第１制御装置の所定部位を押圧可能な押圧用突起が形成され、
前記押圧用突起の押圧により前記第１制御装置の前記コネクタ部と前記第２制御装置の前記コネクタ部との接続の補助が行われるようにしたことを特徴とする。
【手続補正８】
【補正対象書類名】明細書
【補正対象項目名】００１４
【補正方法】変更
【補正の内容】
【００１４】
請求項２に記載の発明によれば、第２制御装置の背面に遊技の進行を制御する遊技制御装置を回動可能に軸着し、遊技盤を本体枠に装着する際には遊技制御装置を該遊技盤と略直交するように傾倒させるとともに、装着した後には両者を略平行にするように起立させることで重合するように構成し、遊技制御装置には、第１制御装置のコネクタ部と第２制御装置のコネクタ部との接続を補助する押圧用突起を形成したので、遊技制御装置の状態変換によりコネクタ部の接続を確実にすることが可能となり、別途接続に関する作業無しでもコネクタ部の接続不良による不具合の発生を防止できる。すなわち、第１制御装置のコネクタ部が形成された部位を、第２制御装置のコネクタ部が形成された部位と遊技制御装置に形成された押圧用突起とによって挟み込むことで、コネクタ部の接続の補助が行われ、確実に接続することが可能となる。
【手続補正９】
【補正対象書類名】明細書
【補正対象項目名】００１５
【補正方法】変更
【補正の内容】
【００１５】
なお、請求項１及び請求項２の遊技機にあっては、前記本体枠には、前記遊技盤の後方に画像表示装置を配設可能な収納部を備えた裏機構枠を設け、前記裏機構枠には、前記収納部の下方部に、前記遊技盤に配設された第２制御装置が遊技機の裏面に臨む開口部を形成し、前記第１制御装置のコネクタ部が前記開口部内にその接続面を前方に向けて突出するように当該第１制御装置を前記裏機構枠の背面に配設することで、遊技盤の前記本体枠への装着動作に応じて該第１制御装置のコネクタ部と前記第２制御装置のコネクタ部の接続が行われるように構成しても良い。
【手続補正１０】
【補正対象書類名】明細書
【補正対象項目名】００１６
【補正方法】変更
【補正の内容】
【００１６】
このような構成によれば、本体枠に、遊技盤に配設された第２制御装置が遊技機の裏面に臨む開口部を形成した裏機構枠を設け、第１制御装置をコネクタ部が開口部内にその接続面を前方に向けて突出するように裏機構枠の後面に配設することで、遊技盤の本体枠への装着動作に応じて該第１制御装置のコネクタ部と第２制御装置のコネクタ部の接続が行われるように構成したので、遊技盤を本体枠に装着するだけでコネクタ部の接続が完了するので遊技盤の交換時の作業を極めて効率よく行うことが可能となる。
【手続補正１１】
【補正対象書類名】明細書
【補正対象項目名】００１７
【補正方法】変更
【補正の内容】
【００１７】
本発明によれば、不正行為を防止する機能を低下させることなくその交換作業の作業性を高めることができる。
【手続補正１２】
【補正対象書類名】特許請求の範囲
【補正対象項目名】全文
【補正方法】変更
【補正の内容】
【特許請求の範囲】
【請求項１】
本体枠に対して遊技盤を着脱可能に構成した遊技機において、
演算機能を有する第１制御装置と、前記第１制御装置により制御され、電気的機器の駆動機能を有する第２制御装置と、から構成され、
前記遊技盤を前記本体枠に取り付ける際の当該遊技盤の当該本体枠への取付動作に応じて、前記第１制御装置に接続されているコネクタ部と前記第２制御装置に接続されているコネクタ部の接続が行われ、前記第２制御装置への電源供給は前記第１制御装置を介して行われるように構成したことを特徴とする遊技機。
【請求項２】
前記第２制御装置の背面に遊技の進行を制御する遊技制御装置を回動可能に軸着し、
前記遊技盤を前記本体枠に装着する際には前記遊技制御装置を該遊技盤と略直交するように傾倒させるとともに、該遊技盤を装着した後には該遊技制御装置を前記遊技盤と略平行となるように起立させることで該遊技制御装置の回動端部側所要部位が前記本体枠背面に配設された前記第１制御装置に重合するように構成し、
前記遊技制御装置には、当該遊技制御装置を前記起立状態へ変換する際の変換方向側に、該変換動作に応じて前記第１制御装置の所定部位を押圧可能な押圧用突起が形成され、
前記押圧用突起の押圧により前記第１制御装置の前記コネクタ部と前記第２制御装置の前記コネクタ部との接続の補助が行われるようにしたことを特徴とする請求項１に記載の遊技機。